(57)【要約】【課題】ＯＳＤを用いた入力操作ボタンによる入力を容易にすることを目的とする。【解決手段】情報処理装置から送られる入力信号に基づく画像を表示する表示装置であって、前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させる制御部と、前記入力操作ボタンの操作に対応する前記操作パターンの数字、文字又は記号を入力する入力受付部と、を有する表示装置が提供される。【選択図】図７
2020067771.tif 000002
【特許請求の範囲】
【請求項１】
情報処理装置から送られる入力信号に基づく画像を表示する表示装置であって、
前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させる制御部と、
前記入力操作ボタンの操作に対応する前記操作パターンの数字、文字又は記号を入力する入力受付部と、を有する表示装置。
【請求項２】
前記制御部は、複数の前記入力操作ボタンのそれぞれに一対一に数字、文字又は記号を対応させた前記操作パターンを表示させ、
前記入力受付部は、前記入力操作ボタンの操作に一対一に対応する数字、文字又は記号を入力する、
請求項１に記載の表示装置。
【請求項３】
前記制御部は、複数の前記入力操作ボタンのそれぞれに複数の数字、文字又は記号を対応させた前記操作パターンを表示させ、
前記入力受付部は、前記入力操作ボタンの操作に対応する複数の数字、文字又は記号のうち、切替用の入力操作ボタンの操作により特定される数字、文字又は記号を入力する、
請求項１に記載の表示装置。
【請求項４】
情報処理装置から送られる入力信号に基づく画像を表示する表示装置を前記表示装置のコンピュータが実行する方法であって、
前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させ、
前記入力操作ボタンの操作に対応する前記操作パターンの数字、文字又は記号を入力する、方法。
【請求項５】
情報処理装置から送られる入力信号に基づく画像を表示する表示装置を前記表示装置のコンピュータが実行するプログラムであって、
前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させ、
前記入力操作ボタンの操作に対応する前記操作パターンの数字、文字又は記号を入力する、プログラム。
【発明の詳細な説明】
【技術分野】
【０００１】
本発明は、表示装置、方法及びプログラムに関する。
【背景技術】
【０００２】
表示装置の電源をオンすると、表示装置に接続された情報処理装置からの入力信号を受け付け、入力信号に基づく画像を無条件で画面に表示する表示装置がある。この場合、他人が不正に情報処理装置を使用したときに表示装置側で当該不正使用を防ぐセキュリティ機能を有しない。
【０００３】
そこで、情報処理装置のセキュリティ機能としてスリープモードからの復帰時にスクリーンにロックを掛け、パスワードを入力させて、そのパスワードが予め登録されているパスワードと一致したときにスクリーンのロックを解除する機能がある。
【０００４】
しかし、情報処理装置が、容量の大きなファイルのダウンロード等の処理中、通常モードからスリープモードに移行することができないために、スクリーンのロック機能を有効にすることができない。このような状況において、ユーザが情報処理装置を使用している途中で席を離れた場合、情報処理装置のセキュリティ機能を有効にできないために、他人が不正に情報処理装置を使用することを防ぐことができない。
【０００５】
そこで、情報処理装置からの入力信号に基づく画像を表示する表示装置にセキュリティ機能を持たせ、他人による情報処理装置の不正使用を防止する技術が知られている（例えば、特許文献１、２参照）。
【先行技術文献】
【特許文献】
【０００６】
【特許文献１】特開２００８−４６８８０号公報
【特許文献２】特開２００９−１１０３２０号公報
【発明の概要】
【発明が解決しようとする課題】
【０００７】
ところで、表示装置の上記セキュリティ機能により表示装置にてユーザ認証を行う場合、表示装置に設けられた入力操作ボタンを使用して文字や数字を入力することがある。例えば、ＯＳＤ（On  Screen  Display）を用いて表示された操作パターンに応じて入力操作ボタンを操作して所望の文字や数字を入力する場合、上記特許文献では操作パターンを変更することができない。このため、操作パターンによっては入力操作ボタンの操作時間が長くなり、入力操作が煩雑になるという課題がある。
【０００８】
そこで、１つの側面では、本発明は、ＯＳＤを用いた入力操作ボタンによる入力を容易にすることを目的とする。
【課題を解決するための手段】
【０００９】
１つの実施態様では、情報処理装置から送られる入力信号に基づく画像を表示する表示装置であって、前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させる制御部と、前記入力操作ボタンの操作に対応する前記操作パターンの数字、文字又は記号を入力する入力受付部と、を有する表示装置が提供される。
【発明の効果】
【００１０】
１つの側面では、本発明は、ＯＳＤを用いた入力操作ボタンによる入力を容易にすることができる。
【図面の簡単な説明】
【００１１】
【図１】一実施形態に係る表示システムの全体構成の一例を示す図。
【図２】一実施形態に係る表示装置のハードウェア構成の一例を示す図。
【図３】一実施形態に係る表示装置の機能構成の一例を示す図。
【図４】一実施形態に係るパスコード登録処理の一例を示すフローチャート。
【図５】一実施形態に係るパスコード変更処理の一例を示すフローチャート。
【図６】一実施形態に係るパスコード入力を説明するための図。
【図７】一実施形態に係るパスコード変更時のＯＳＤの表示の一例を示す図。
【図８】一実施形態に係るパスコードを使用した復帰処理の一例を示すフローチャート。
【図９】一実施形態に係る復帰時のパスコード入力を説明するための図。
【図１０】一実施形態に係るＯＳＤの表示の変形例を示す図。
【発明を実施するための形態】
【００１２】
以下、本発明の実施形態について添付の図面を参照しながら説明する。なお、本明細書及び図面において、実質的に同一の機能構成を有する構成要素については、同一の符号を付することにより重複した説明を省く。
【００１３】
＜第１実施形態＞
［表示システムの全体構成］
まず、本発明の一実施形態に係る表示システムの全体構成の一例について、図１を参照しながら説明する。図１は、一実施形態に係る表示システムの全体構成の一例を示す。本実施形態に係る表示システムは、表示装置１０及び情報処理装置を有する。
【００１４】
本実施形態では、表示装置１０に接続される情報処理装置の一例としてＰＣ３０を挙げて説明する。しかし、情報処理装置はこれに限らず、タブレット型端末、スマートフォン、ＰＤＡ（Personal  Digital  Assistants）、携帯電話、携帯用音楽再生装置、携帯用映像処理装置、携帯用ゲーム機器、ウェアラブルデバイスであってもよい。
【００１５】
表示装置１０は、表示装置の本体１１及びディスプレイ１２を有する。本体１１には、ＬＣＤ（Liquid  Crystal  Display）、ＣＲＴ（Cathode  Ray  Tube）、ＰＤＰ（Plasma  Display  Panel）などからなるディスプレイ１２が取り付けられている。本体１１の下辺には、物理ボタンである操作ボタンが設けられている。操作ボタンには、電源ボタン１３及び入力操作ボタン１４ａ〜１４ｄ（以下、総称して「入力操作ボタン１４」ともいう。）が含まれる。本例では、入力操作ボタン１４ａはＥＸＩＴボタンを使用し、入力操作ボタン１４ｂはカーソル左移動ボタンを使用し、入力操作ボタン１４ｃはカーソル右移動ボタンを使用し、入力操作ボタン１４ｄはメニュー／決定ボタンを含む。ただし、入力操作ボタン１４の数及び種類はこれに限らない。
【００１６】
本体１１には、表示装置１０の前のユーザを検出するセンサが設けられてもよい。センサには、超音波センサや赤外線センサなどが用いられる。
【００１７】
本体１１の内部には、ＰＣ３０からの入力信号に基づく画像の表示処理、ＯＳＤの表示処理、認証処理等で行う電気回路１が実装されている。
【００１８】
［表示装置のハードウェア構成］
次に、一実施形態に係る表示装置１０のハードウェア構成の一例について、図２を参照しながら説明する。図２は、一実施形態に係る表示装置１０のハードウェア構成の一例を示す図である。
【００１９】
図２に示すように、表示装置１０は、ＰＣ３０に接続され、ＰＣ３０から送られる入力信号（以下、「ＰＣ信号ＳＡ」という。）に基づく画像を画面に表示する。なお、図１及び図２には、ＰＣ３０及び表示装置１０のみが示されているが、表示システムは、ＰＣ３０及び表示装置１０に加えて、他の周辺機器を有してもよい。他の周辺機器の一例としては、プリンタ、スキャナ、外部記憶装置、ＬＡＮやインターネットなどの通信回線への接続のためのインタフェース等が挙げられる。表示装置１０には、キーボード及びタッチパネルは設けられていない。
【００２０】
表示装置１０は、図２に点線で示す電気回路１とディスプレイ１２とを有する。電気回路１は、切替スイッチ１５、ＣＰＵ１６、メモリ１７、インタフェース（Ｉ／Ｆ）１８、ＯＳＤ（On  Screen  Display）１９及びコネクタ２０を有する。
【００２１】
ＣＰＵ１６は、ＲＯＭなどに記憶されたプログラムを実行して、表示装置１０の機能を実現するために必要な処理を行う。例えば、ＣＰＵ１６は、表示システムのセキュリティの保護のために、所定の認証に成功したユーザ以外に対してＰＣ３０からのＰＣ信号ＳＡに基づく画像の表示を許可しない処理を行う。言い換えれば、ＣＰＵ１６は、認証に成功した後、ＰＣ信号ＳＡに基づく画像の表示を許可する処理を行う。ＣＰＵ１６は、認証処理を行うに当たって、ＯＳＤ１９を用いて入力操作ボタン１４によるパスコードの入力処理を行う。パスコードは、表示装置１０のセキュリティ機能としての認証処理に用いられる認証情報の一例である。その他、ＣＰＵ１６は表示装置１０の全体を制御する。
【００２２】
メモリ１７は、パスコード、表示装置１０の機能を実現するためのプログラム及びその他の各種データ等を格納する。なお、メモリ１７は、ＲＯＭ，ＲＡＭなどの半導体メモリ、メモリチップ、磁気ディスク、その他の種々の記憶デバイスにより実現可能である。
【００２３】
Ｉ／Ｆ１８は、電源ボタン１３及び入力操作ボタン１４からの信号をＣＰＵ１６に入力するためのインタフェースである。
【００２４】
ＯＳＤ１９は、表示装置１０におけるＯＳＤの機能を実現するためのモジュールである。ＯＳＤ１９は、ＰＣ３０からのＰＣ信号ＳＡによる画面とは別に、表示装置１０の設定やセキュリティ保護のための処理など、表示装置１０の独自の機能に必要な画面を表示するためのＯＳＤ信号ＳＢを生成し、ＯＳＤ信号ＳＢに基づきＯＳＤの画面表示を行う。
【００２５】
切替スイッチ１５は、ＣＰＵ１６の制御によって、ＰＣ３０からのＰＣ信号ＳＡとＯＳＤ１９にて生成したＯＳＤ信号ＳＢとを切り替える。切り替えた信号の画像がディスプレイ１２に表示される。つまり、通常は、ＰＣ信号ＳＡが選択されてＰＣ３０から送られたＰＣ信号ＳＡに基づく画像がディスプレイ１２に表示される。一方、所定の条件の下では、ＣＰＵ１６からの指令によって切替スイッチ１５が切り替えられてＯＳＤ信号ＳＢが選択され、ＯＳＤ１９で表示制御された画面がディスプレイ１２の所定位置に表示される。切替スイッチ１５は、例えばマルチプレクサなどによって実現可能である。
【００２６】
コネクタ２０は、ＰＣ３０からのＰＣ信号ＳＡを入力し、または必要に応じてＰＣ３０へ信号を出力するためのインタフェースである。なお、表示装置１０には、ＣＰＵ１６にデータを入力するためのシリアルインタフェース、パラレルインタフェースなどが設けられてもよい。
【００２７】
［表示装置の機能構成］
次に、一実施形態に係る表示装置１０の機能構成の一例について、図３を参照しながら説明する。図３は、一実施形態に係る表示装置１０の機能構成の一例を示す図である。表示装置１０は、登録部２１、記憶部２２、映像信号処理部２３、制御部２４、入力受付部２５、操作部２６、ＯＳＤ処理部２７、切替部２８及び表示部２９を有する。
【００２８】
登録部２１は、入力されたパスコードを記憶部２２に登録する。
【００２９】
記憶部２２は、パスコード及びプログラムを記憶する。プログラムは、パスコード登録処理、パスコード変更処理、復帰処理（認証処理を含む）をＣＰＵ１６に実行させるために使用される。
【００３０】
映像信号処理部２３は、ＰＣ３０が出力したＰＣ信号ＳＡを受け付け、表示部２９に表示可能な信号に変換する。
【００３１】
制御部２４は、ＰＣ信号ＳＡに基づく画像の表示を制御する。具体的には、制御部２４は、表示装置１０の電源がオフされたこと又は表示装置１０が節電モードに移行したことに従い、ＰＣ信号ＳＡに基づく画像をディスプレイ１２に表示することを不許可にする。制御部２４は、表示装置１０の電源ボタン１３がオンされたこと又は表示装置１０が節電モードから復帰したことに従い、不許可にしたＰＣ信号ＳＡに基づく画像の表示を許可する前に、ユーザにパスコードを入力させ、ユーザの認証処理を行う。
【００３２】
制御部２４は、ユーザが入力したパスコードと記憶部２２に記憶したパスコードとが一致するかを判定し、一致すれば認証成功と判定する。制御部２４は、認証成功と判定した場合、ＰＣ信号ＳＡを有効（許可）にし、ＰＣ信号ＳＡに基づく画像をディスプレイ１２に表示する。
【００３３】
なお、表示装置１０の電源がオフされた又は表示装置１０が節電モードに移行した場合における表示装置１０の状態を「セキュリティモード」という。表示装置１０の電源がオンされた又は表示装置１０が節電モードから復帰し、認証処理に成功するとセキュリティモードを解除して通常モードとなる。
【００３４】
表示装置１０の電源がオフされたときとは、電源ボタン１３が押されて電源オフ時に実行されるシャットダウン処理が終了したときをいう。節電モードには、スリープモード、ユーザの離席及びＰＣ３０が所定時間以上操作されていないこと等が含まれる。ユーザの離席は、図示しないセンサを表示装置１０の前方の様子を検出可能なように本体１１に装着することで、センサの検出結果から判定できる。
【００３５】
ただし、ユーザの離席はセンサの検知に限らず、次の方法にて判定することができる。つまり、ユーザが離席してから所定時間が経過すると、ＰＣ３０が所定時間以上操作されていない状態となり、ＰＣ３０から表示装置１０に送られるＰＣ信号ＳＡが停止する。つまり、ユーザの離席をセンサにより検知すること、及びＰＣ３０が所定時間以上操作されていないことは、ＰＣ信号ＳＡが来なくなったことを制御部２４が認識することで検出され得る。
【００３６】
表示装置１０の電源がオンされたときとは、電源ボタン１３が押されて電源オン時に実行される起動処理が終了したときをいう。節電モードからの復帰には、スリープモードからの復帰、ユーザの着席及びＰＣ３０の操作の再開等が含まれる。例えば、表示装置１０の電源がオンされ、起動処理が終了したこと、ＰＣ３０がスリープモードから復帰したこと、ユーザの着席をセンサにより検知すること、及びＰＣ３０が操作されたことを検知することにより、通常モードに戻る。
【００３７】
制御部２４は、パスコードを入力させる際、入力操作ボタン１４の個数に対応する個数の操作パターン（数字、文字又は記号の少なくともいずれか）を表示させる。
【００３８】
入力受付部２５は、ユーザによる操作部２６の操作に対応した操作パターンの数字、文字又は記号の入力を受け付ける。
【００３９】
ＯＳＤ処理部２７は、数字、文字又は記号の少なくともいずれかから構成される操作パターンを表示するためのＯＳＤ信号ＳＢを作成する。操作パターンに使用される数字、文字又は記号は、いずれであってもよい。記号には、図形、マーク、絵、アイコン等が含まれてもよい。
【００４０】
操作パターンは、複数の入力操作ボタン１４のそれぞれに一対一に対応する数字、文字又は記号の少なくともいずれかが表示されたパターンであってもよい。この場合、入力受付部２５は、各入力操作ボタン１４の操作に対応する数字、文字又は記号の入力を受け付ける。
【００４１】
操作パターンは、複数の入力操作ボタン１４のそれぞれに複数の数字、文字又は記号を対応させて表示されたパターンであってもよい。この場合、入力受付部２５は、各入力操作ボタン１４の操作に対応する複数の数字、文字又は記号のうち、切替用の操作ボタンにより特定される数字、文字又は記号の入力を受け付ける。
【００４２】
切替部２８は、制御部２４からＰＣ信号ＳＡに基づく画像の表示を不許可（無効）とする指示を受けると、映像信号処理部２３が受け付けたＰＣ信号ＳＡに基づく画像を表示部２９に表示しないようにする。そして、切替部２８は、ＯＳＤ処理部２７が作成した操作パターンを表示するためのＯＳＤ信号ＳＢに基づく操作パターンの画像を表示部２９に表示する。これにより、通常モードからセキュリティモードに切り替えられる。
【００４３】
図３は機能に着目したブロック図を描いており、これらの機能ブロックで示した各部のソフトウエアを実行するプロセッサは図２に一例を示すハードウェアである。例えば、登録部２１、映像信号処理部２３、制御部２４の各部の機能は、記憶部２２にインストールされたプログラムが、ＣＰＵ１６に実行させる処理により実現される。
【００４４】
記憶部２２の機能は、メモリ１７又は表示装置１０に接続される外部記憶装置により実現される。操作部２６の機能は、例えば、電源ボタン１３及び入力操作ボタン１４により実現される。入力受付部２５の機能は、例えば、Ｉ／Ｆ１８により実現される。ＯＳＤ処理部２７の機能は、例えば、ＯＳＤ１９により実現される。切替部２８の機能は、例えば、切替スイッチ１５により実現される。表示部２９の機能は、例えば、ディスプレイ１２により実現される。
【００４５】
［パスコード登録処理］
次に、一実施形態に係るパスコード登録処理の一例について、図４を参照しながら説明する。図４は、一実施形態に係るパスコード登録処理の一例を示すフローチャートである。本処理は、表示装置１０の出荷前に実行される。本処理は、ユーザが表示装置１０を初めて使用するときに実行されてもよい。
【００４６】
本処理が開始されると、制御部２４は、表示装置１０の初期立上げ処理を行う（ステップＳ１０）。次に、表示部２９は、ＯＳＤにパスコード設定メニューを表示する（ステップＳ１２）。次に、登録部２１は、パスコードを登録し（ステップＳ１４）、本処理を終了する。登録部２１が登録するパスコードは、乱数発生器により発生させたランダム値であってもよいし、これに限らず、数字、文字又は記号の組み合わせであればよい。
【００４７】
上記パスコード登録処理を表示装置１０の出荷前に行うと、ユーザが最初に表示装置１０を使用する際には、記憶部２２にパスコードの初期値がセットされている状態となる。
【００４８】
［パスコード変更処理］
ユーザが表示装置１０のパスコードを変更したいとき、図５に一例を示すパスコード変更処理が実行される。図５は、一実施形態に係るパスコード変更処理の一例を示すフローチャートである。
【００４９】
本処理が開始されると、制御部２４は、パスコードの設定変更が要求されているかを判定する（ステップ２０）。制御部２４は、パスコードの設定変更が要求されていないと判定すると、本処理を終了する。一方、制御部２４は、パスコードの設定変更が要求されていると判定すると、ＯＳＤ処理部２７が作成したパスコード設定メニューをＯＳＤに表示させる（ステップＳ２２）。
【００５０】
次に、入力受付部２５は、ユーザの入力操作ボタン１４の操作に応じて現在のパスコードを入力し（ステップＳ２４）、パスコードが全桁入力されたか否かを判定し（ステップＳ２６）、パスコードが全桁入力されるまでステップＳ２４、Ｓ２６の処理を繰り返す。
【００５１】
図６に示すように制御部２４が、パスコード設定メニューを選択し、当該設定メニューを表示させた後、入力受付部２５は、図６の上側の点線内に示すように、現在のパスコードの入力を受け付ける。図７に一実施形態に係るパスコード変更時のＯＳＤの表示の一例を示す。図７の下方にはパスコード設定メニューの拡大図が示される。パスコード設定メニューには、入力操作ボタン１４ａ〜１４ｄに対応する数字１０３ａ〜１０３ｄ（以下、「操作パターン１０３」ともいう。）が表示されている。このように、ＯＳＤに操作パターン１０３の各数字１０３ａ〜１０３ｄが入力操作ボタン１４ａ〜１４ｄと一対一に対応して表示される。
【００５２】
入力受付部２５は、ユーザが入力操作ボタン１４ａを押下すると「１」を入力し、入力操作ボタン１４ｂを押下すると「２」を入力し、入力操作ボタン１４ｃを押下すると「３」を入力し、入力操作ボタン１４ｄを押下すると「４」を入力する。これにより、ユーザはＯＳＤを用いてパスコードをより簡単に入力できる。
【００５３】
ＯＳＤのパスコード設定メニューには、操作パターン１０３の上に入力された五桁のパスコード１０２と、メッセージ１０１が表示される。例えば、図６の上部点線内の現在のパスコード入力受付には、１個目の入力操作ボタン１４から５個目の入力操作ボタン１４までの押下に応じて、Ｄ１〜Ｄ３に示すように、入力操作ボタン１４が押される度に入力した数字のパスコードの桁が星印で示される。
【００５４】
ただし、パスコード１０２の表示方法はこれに限らず、直近に入力した数字のみ表示してもよいし、入力した数字をすべて表示してもよいし、入力したすべての数字を非表示にしてもよい。
【００５５】
本実施形態の例では、五桁のパスコードであるから、１０２４（＝４５）パターンのパスコードの設定が可能である。ただし、パスコードの桁数はこれに限らず、五桁以外であってもよい。
【００５６】
図５に戻り、ステップＳ２６において、パスコードが全桁入力されたと判定されると、制御部２４は、入力されたパスコードと記憶部２２に記憶されたパスコードとが一致するか否かを判定する（ステップＳ２８）。制御部２４は、一致しないと判定した場合、所定回数以上パスコードが不一致であるかを判定する（ステップＳ３０）。制御部２４は、所定回数以上パスコードが不一致であると判定すると、本処理を終了する。一方、制御部２４は、パスコードが不一致であると判定された回数が所定回数よりも少ないと判定すると、入力を受け付けたパスコードを初期化（Ｏクリア）し（ステップＳ３２）、ステップＳ２４に戻り、ステップＳ２４以降の処理を行い、再度パスコードの入力を受け付ける。
【００５７】
ステップＳ２８において、制御部２４は、入力されたパスコードと記憶部２２に記憶されたパスコードとが一致すると判定すると、正当ユーザの操作と判定し、ＯＳＤ処理部２７が作成したパスコード設定メニューをＯＳＤに再表示させる（ステップＳ３４）。
【００５８】
次に、入力受付部２５は、ユーザの入力操作ボタン１４の操作に応じて設定変更されるパスコードを入力する（ステップＳ３６）。そして、入力受付部２５は、パスコードが全桁入力されたか否かを判定し（ステップＳ３８）、パスコードが全桁入力されるまでステップＳ３６、Ｓ３８の処理を繰り返す。
【００５９】
例えば、図６の下部点線内の設定変更パスコード入力受付には、１個目の入力操作ボタン１４から５個目の入力操作ボタン１４までの押下に応じて、Ｄ４〜Ｄ６に示すように、入力操作ボタン１４が押される度にＯＳＤのパスコード１０２に、直近に入力した数字が示される。
【００６０】
図５に戻り、ステップＳ３８において、パスコードが全桁入力済みであると判定されると、制御部２４は、入力されたパスコードを記憶部２２に保存し（ステップＳ４０）、本処理を終了する。
【００６１】
これによれば、出荷時等に予め定められたパスコードを、ユーザが望むパスコードに変更することができる。また、パスコードを入力する際、入力操作ボタン１４の上に、ＯＳＤを用いた操作パターンを表示し、各入力操作ボタン１４に一対一に数字等を割り付ける。これによれば、入力操作ボタン１４により入力可能な数字等の数は入力操作ボタン１４の数に限定される。これにより、ＯＳＤを用いた入力操作ボタンによる入力を容易にすることができる。なお、以上の入力操作においても、表示装置１０のセキュリティ機能については、パスコードの桁数を増やすことでパスコードのユニークさを確保できる。
【００６２】
［パスコードを使用した復帰処理］
次に、一実施形態に係るパスコードを使用した復帰処理の一例について、図８を参照しながら説明する。図８は、一実施形態に係るパスコードを使用した復帰処理の一例を示すフローチャートである。
【００６３】
本処理が開始されると、制御部２４は、表示装置１０の電源がオフされたか又は表示装置１０が節電モードに移行したかを判定する（ステップ５０）。制御部２４は、表示装置１０の電源がオフされていない、かつ表示装置１０が節電モードになっていないと判定すると、本処理を終了する。一方、制御部２４は、表示装置１０の電源がオフされたか又は表示装置１０が節電モードになったと判定すると、セキュリティモードにし、ＰＣ３０から送られたＰＣ信号ＳＡに基づく画像を表示しないように制御する。（ステップＳ５２）。
【００６４】
次に、制御部２４は、表示装置１０の電源がオンされたか又は表示装置１０が節電モードから復帰したかを判定する（ステップ５４）。制御部２４は、表示装置１０の電源がオンされていない、かつ表示装置１０が節電モードから復帰していないと判定すると、本処理を終了する。一方、制御部２４は、表示装置１０の電源がオンされたか又は表示装置１０が節電モードから復帰したと判定すると、ＯＳＤ処理部２７が作成したパスコード設定メニューをＯＳＤに表示させる（ステップＳ５６）。
【００６５】
次に、入力受付部２５は、ユーザの入力操作ボタン１４の操作に応じてパスコードを入力し（ステップＳ５８）、パスコードが全桁入力されたか否かを判定し（ステップＳ６０）、パスコードが全桁入力されるまでステップＳ５８、Ｓ６０の処理を繰り返す。
【００６６】
図９に示すように制御部２４が、電源オン又は節電モードからの復帰時に、入力受付部２５は、図９の点線内に示すように、パスコードの入力を受け付ける。この場合にも、図７の例では、入力操作ボタン１４ａ〜１４ｄに対応する数字１０３ａ〜１０３ｄの操作パターンが、入力操作ボタン１４ａ〜１４ｄの上に表示される。このように、操作パターン１０３の各数字１０３ａ〜１０３ｄを入力操作ボタン１４ａ〜１４ｄと一対一になるように表示することで、ＯＳＤを用いてユーザがパスコードをより簡単に入力できるようにする。
【００６７】
例えば、１個目の入力操作ボタン１４から５個目の入力操作ボタン１４までの押下に応じて、図９のＤ７〜Ｄ１０に示すように、入力操作ボタン１４が押される度に入力した数字のパスコードの桁が星印で示される。
【００６８】
図８に戻り、ステップＳ６０において、パスコードが全桁入力済みであると判定されると、制御部２４は、入力されたパスコードと記憶部２２に記憶されたパスコードとが一致するか否かを判定する（ステップＳ６２）。制御部２４は、一致しないと判定した場合、所定回数以上パスコードが不一致であるかを判定する（ステップＳ６４）。制御部２４は、所定回数以上パスコードが不一致であると判定すると、本処理を終了する。一方、制御部２４は、パスコードが不一致であると判定された回数が所定回数よりも少ないと判定すると、入力を受け付けたパスコードを初期化（Ｏクリア）し（ステップＳ６６）、ステップＳ５８に戻り、ステップＳ５８以降の処理を行う。
【００６９】
ステップＳ６２において、制御部２４は、入力されたパスコードと記憶部２２に記憶されたパスコードとが一致すると判定すると、切替部２８に指示し、通常モードに切り替えさせる。制御部２４は、通常モードにおいてＰＣ３０から送られるＰＣ信号ＳＡに基づく画像を画面に表示させ（ステップＳ６８）、本処理を終了する。
【００７０】
これによれば、電源オン時又は節電からの復帰時、すぐにはＰＣ信号ＳＡに基づく画像を表示せず、ＯＳＤを用いてパスコードの入力を要求する。そして、ユーザ操作により入力したパスコードと、記憶部２２に記憶したパスコードとが一致した場合のみ、ＰＣ信号ＳＡに基づく画像を表示する。
【００７１】
これによれば、電源オン時又は節電からの復帰時に、ＰＣ３０にてユーザＩＤ及びパスワードによる認証処理が行われ、更に表示装置１０にてパスコードによる認証処理が二重で行われる。これにより、セキュリティを強化することができる。
【００７２】
そして、上記のようにＯＳＤに表示する操作パターンを簡略化することで、ＯＳＤを用いてパスコードの入力操作を簡単にすることができる。これにより、ユーザの操作負担を軽減し、ユーザの操作時間の短縮を図ることができる。
【００７３】
［変形例］
最後に、一実施形態に係るＯＳＤの表示の変形例の一例について、図１０を参照しながら説明する。図１０は、一実施形態に係るＯＳＤの表示の変形例を示す。本体１１に設けられた入力操作ボタン１４は物理ボタンであるため変更することはできない。これに対して、ＯＳＤの操作パターン１０３は、ソフトウェアで表示したボタンであるため、表示の変更は容易である。
【００７４】
そこで、図１０に示すように、制御鵜２４は、操作パターン１０３の表示を変更してもよい。具体的には、複数の入力操作ボタン１４ａ〜１４ｃのそれぞれに２つの数字、文字又は記号を対応させて表示する。図１０の例では、入力操作ボタン１４ａに対応して２つの数字１０３ｅ、１０３ｆが表示されている。同様にして、入力操作ボタン１４ｂに対応して２つの数字１０３ｇ、１０３ｈが表示され、入力操作ボタン１４ｃに対応して２つの数字１０３ｉ、１０３ｊが表示されている。なお、本変形例では、切替用の入力操作ボタン１４ｄに対応しては「決定」の文字１０３ｋが表示されている。
【００７５】
このように、入力操作ボタン１４ａ〜１４ｃに対応して複数の数字１０３ｅ〜１０３ｊが表示されている場合、入力受付部２５は、各入力操作ボタン１４ａ〜１４ｃに対応する複数の数字１０３ｅ〜１０３ｊのうち、切替用の入力操作ボタン１４ｄにより切り替えられたいずれかの数字の入力を受け付ける。例えば、切替用の入力操作ボタン１４ｄを押すと操作パターン１０３の下の数字が選択され、切替用の入力操作ボタン１４ｄを押さないと操作パターン１０３の上の数字が選択されてもよい。
【００７６】
例えば、入力操作ボタン１４ａをユーザが操作する場合、ユーザが切替用の入力操作ボタン１４ｄを押した後、入力操作ボタン１４ａを押すと、「１」の数字１０３ｆが入力される。ユーザが切替用の入力操作ボタン１４ｄを押さずに入力操作ボタン１４ａを押すと、「０」の数字１０３ｅが入力される。
【００７７】
ただし、操作パターンの組み合わせは、これに限らず、各入力操作ボタン１４に対応する数字が３つ以上であってもよい。これによっても、ＯＳＤを用いたパスコードの入力操作を簡単にすることができる。これにより、ユーザの操作負担を軽減し、ユーザの操作時間の短縮を図ることができる。
【００７８】
以上に説明したように、一実施形態に係る表示システムによれば、ＰＣ３０の機能やアプリケーションを変更させることなく、他人が不正にＰＣ３０を使用することを防ぐためのセキュリティ対策を表示装置１０において行うことができる。また、ＰＣ３０の処理状態に関わらず、ユーザが離席時に簡単に他人が不正にパソコンを使用することを防ぐことができる。
【００７９】
また、パスコードの入力、カスタマイズが簡単に行えることでユーザへの負担を抑えて高いセキュリティ機能を実現することが可能である。
【００８０】
以上、表示装置、方法及びプログラムを上記実施形態により説明したが、本発明に係る表示装置、方法及びプログラムは上記実施形態に限定されるものではなく、本発明の範囲内で種々の変形及び改良が可能である。また、上記実施形態及び変形例が複数存在する場合、矛盾しない範囲で組み合わせることができる。
【００８１】
以上の説明に関し、更に以下の項を開示する。
（付記１）
情報処理装置から送られる入力信号に基づく画像を表示する表示装置であって、
前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させる制御部と、
前記入力操作ボタンの操作に対応する前記操作パターンの数字、文字又は記号を入力する入力受付部と、を有する表示装置。
（付記２）
前記制御部は、複数の前記入力操作ボタンのそれぞれに一対一に数字、文字又は記号を対応させた前記操作パターンを表示させ、
前記入力受付部は、前記入力操作ボタンの操作に一対一に対応する数字、文字又は記号を入力する、
付記１に記載の表示装置。
（付記３）
前記制御部は、複数の前記入力操作ボタンのそれぞれに複数の数字、文字又は記号を対応させた前記操作パターンを表示させ、
前記入力受付部は、前記入力操作ボタンの操作に対応する複数の数字、文字又は記号のうち、切替用の入力操作ボタンの操作により特定される数字、文字又は記号を入力する、
付記１に記載の表示装置。
（付記４）
情報処理装置から送られる入力信号に基づく画像を表示する表示装置を前記表示装置のコンピュータが実行する方法であって、
前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させ、
前記入力操作ボタンの操作に対応する前記操作パターンの数字、文字又は記号を入力する、方法。
（付記５）
複数の前記入力操作ボタンのそれぞれに一対一に数字、文字又は記号を対応させた前記操作パターンを表示させ、
前記入力操作ボタンの操作に一対一に対応する数字、文字又は記号を入力する、
付記４に記載の方法。
（付記６）
複数の前記入力操作ボタンのそれぞれに複数の数字、文字又は記号を対応させた前記操作パターンを表示させ、
前記入力操作ボタンの操作に対応する複数の数字、文字又は記号のうち、切替用の入力操作ボタンの操作により特定される数字、文字又は記号を入力する、
付記４に記載の方法。
（付記７）
情報処理装置から送られる入力信号に基づく画像を表示する表示装置を前記表示装置のコンピュータが実行するプログラムであって、
前記表示装置の電源がオンされたこと又は前記表示装置が節電モードから復帰したことに従い前記入力信号に基づく画像の表示を許可する前に、前記表示装置に設置された入力操作ボタンの個数に対応する個数の操作パターンをＯＳＤを用いて表示させ、
前記入力操作ボタンの操作に対応する前記操作パターンの数字、文字又は記号を入力する、プログラム。
（付記８）
複数の前記入力操作ボタンのそれぞれに一対一に数字、文字又は記号を対応させた前記操作パターンを表示させ、
前記入力操作ボタンの操作に一対一に対応する数字、文字又は記号を入力する、
付記７に記載のプログラム。
（付記９）
複数の前記入力操作ボタンのそれぞれに複数の数字、文字又は記号を対応させた前記操作パターンを表示させ、
前記入力操作ボタンの操作に対応する複数の数字、文字又は記号のうち、切替用の入力操作ボタンの操作により特定される数字、文字又は記号を入力する、
付記７に記載のプログラム。
【符号の説明】
【００８２】
１      電気回路
１０    表示装置
１１    本体
１２    ディスプレイ
１３    電源ボタン
１４    入力操作ボタン
１５    切替スイッチ
１６    ＣＰＵ
１７    メモリ
１８    インタフェース（Ｉ／Ｆ）
１９    ＯＳＤ
２０    コネクタ
２１    登録部
２２    記憶部
２３    映像信号処理部
２４    制御部
２５    入力受付部
２６    操作部
２７    ＯＳＤ処理部
２８    切替部
２９    表示部
３０    ＰＣ
１０３  操作パターン
【図１】
2020067771.tif 000003
【図２】
2020067771.tif 000004
【図３】
2020067771.tif 000005
【図４】
2020067771.tif 000006
【図５】
2020067771.tif 000007
【図６】
2020067771.tif 000008
【図７】
2020067771.tif 000009
【図８】
2020067771.tif 000010
【図９】
2020067771.tif 000011
【図１０】
2020067771.tif 000012